(57)【要約】      （修正有）【課題】砂浴カバー材料の表面に付着した垢、汗などを除去することができる上、加熱により砂浴カバー材料の乾燥殺菌を行うとともに、砂浴カバー材料を加熱させることができる自動的に洗浄殺菌を行うことが可能な砂浴装置を提供する。【解決手段】自動的に洗浄殺菌を行うことが可能な砂浴装置は、複数の顆粒状砂浴カバー材料を収納することが可能な上浴槽２２０を有する少なくとも１つの砂浴ユニット２００と、上浴槽２２０の一側に配置され、流体を蓄積する下貯水槽３１０と、少なくとも１つの回流管系３２０とを有する浮上除去ユニット３００と、熱風炉と、熱風炉の排風口に接続された熱風管とを有する加熱ユニットと、を備える。【選択図】図２
0003140820.tif 000002
【実用新案登録請求の範囲】
【請求項１】
複数の顆粒状砂浴カバー材料を収納することが可能な上浴槽を有し、該上浴槽は、開放口を有する浴槽、該浴槽に連通された複数の噴水孔、複数の熱風孔、少なくとも１つのオーバーフロー孔および少なくとも１つの排水孔を備えた少なくとも１つの砂浴ユニットと、
前記上浴槽の一側に配置され、流体を蓄積する下貯水槽と、少なくとも１つの回流管系とを有し、各前記回流管系の一方の１組の管路は、前記下貯水槽と各前記噴水孔との間に接続され、他方の１組の管路は、前記下貯水槽と前記排水孔との間に接続され、前記上浴槽および前記下貯水槽の中の液体が交互に流通する浮上除去ユニットと、
熱風炉と、該熱風炉の排風口に接続された熱風管とを有し、該熱風管の一端は、前記上浴槽の各前記熱風孔に連通され、前記上浴槽中の砂浴カバー材料をヒートポンプにより乾燥させる加熱ユニットと、を備えることを特徴とする自動的に洗浄殺菌を行うことが可能な砂浴装置。
【請求項２】
前記砂浴ユニットは、密閉チャンバ中に配置された４つの砂浴ユニットを含み、前記加熱ユニットの前記熱風管は、主風ダクトおよび複数の分岐ダクトを有し、各前記分岐ダクトが前記密閉チャンバに入れられ、前記砂浴ユニットの前記熱風孔に接続されていることを特徴とする請求項１に記載の自動的に洗浄殺菌を行うことが可能な砂浴装置。
【請求項３】
ヒートポンプと、該ヒートポンプの吸気口に接続され、前記密閉チャンバに連通された熱流管とを有する熱循環ユニットをさらに備えることを特徴とする請求項２に記載の自動的に洗浄殺菌を行うことが可能な砂浴装置。
【請求項４】
前記回流管系の各前記管路中にそれぞれ接続され、液体を弁制御し、前記下貯水槽から前記上浴槽中に注入するか、前記上浴槽の液体を前記下貯水槽中へ送ることを特徴とする請求項１に記載の自動的に洗浄殺菌を行うことが可能な砂浴装置。
【請求項５】
前記浮上除去ユニットの前記下貯水槽は、外部から液体を注水する進水孔、出水孔および回流孔を有し、前記回流管系の前記一方の１組の管路は、前記噴水孔と前記出水孔の間にそれぞれ接続され、前記上浴槽へ前記下貯水槽の液体を注入し、前記回流管系の前記他方の１組の管路が前記上浴槽の前記排水孔と前記下貯水槽の前記回流孔との間に接続され、前記上浴槽の液体は、前記下貯水槽中へ送られることを特徴とする請求項１に記載の自動的に洗浄殺菌を行うことが可能な砂浴装置。
【請求項６】
前記浮上除去ユニットの前記下貯水槽は、槽底に設けられた排出孔をさらに備えることを特徴とする請求項１に記載の自動的に洗浄殺菌を行うことが可能な砂浴装置。
【考案の詳細な説明】
【技術分野】
【０００１】
本考案は、健康医療設備に関し、特に自動的に洗浄殺菌を行うことが可能な砂浴装置に関する。
【背景技術】
【０００２】
砂浴とは、新しい健康医療方法の一つである。砂浴を行う際は、浴槽などに身体を横たえ、適温に加熱された砂粒（一般には石英）で身体を覆い、砂の温度により身体の内部に温熱効果を発生させることにより、血液循環を増進させて美容効果を得る。
【０００３】
従来の砂浴装置は、所定の健康効果を得ることができたが、砂浴装置を使用した後、代謝により皮膚から排出された垢、汗、フケなどが入り混じったものが砂粒の表面に付着することがあった。これは後で使用する他のユーザにとって不衛生である上、高温多湿の状態で使用されるために様々な細菌が発生しやすく、さらには重大な伝染病が発生する可能性を含んでいた。これらの理由から砂浴をあまり利用したがらない消費者もいた。この問題を解決するため、砂粒を水で洗い流して洗浄することもできるが、砂粒の表面に付着した汚物を有効に洗浄することができず、汚物が砂に入り混じり、汚水や汚物などを排出させることは困難であった。
【０００４】
そのため、利用者の生命および健康を守るため、身体を覆う砂粒などのカバー材料を清潔にする方法が求められていた。
【考案の開示】
【考案が解決しようとする課題】
【０００５】
本考案の目的は、洗浄が十分でないために不衛生となる従来の砂浴の問題点を解決する自動的に洗浄殺菌を行うことが可能な砂浴装置を提供することにある。
【課題を解決するための手段】
【０００６】
（１）  複数の顆粒状砂浴カバー材料を収納することが可能な上浴槽を有し、該上浴槽は、開放口を有する浴槽、該浴槽に連通された複数の噴水孔、複数の熱風孔、少なくとも１つのオーバーフロー孔および少なくとも１つの排水孔を備えた少なくとも１つの砂浴ユニットと、前記上浴槽の一側に配置され、流体を蓄積する下貯水槽と、少なくとも１つの回流管系とを有し、各前記回流管系の一方の１組の管路は、前記下貯水槽と各前記噴水孔との間に接続され、他方の１組の管路は、前記下貯水槽と前記排水孔との間に接続され、前記上浴槽および前記下貯水槽の中の液体が交互に流通する浮上除去ユニットと、熱風炉と、該熱風炉の排風口に接続された熱風管とを有し、該熱風管の一端は、前記上浴槽の各前記熱風孔に連通され、前記上浴槽中の砂浴カバー材料をヒートポンプにより乾燥させる加熱ユニットと、を備えることを特徴とする自動的に洗浄殺菌を行うことが可能な砂浴装置。
【０００７】
（２）  前記砂浴ユニットは、密閉チャンバ中に配置された４つの砂浴ユニットを含み、前記加熱ユニットの前記熱風管は、主風ダクトおよび複数の分岐ダクトを有し、各前記分岐ダクトが前記密閉チャンバに入れられ、前記砂浴ユニットの前記熱風孔に接続されていることを特徴とする（１）に記載の自動的に洗浄殺菌を行うことが可能な砂浴装置。
【０００８】
（３）  ヒートポンプと、該ヒートポンプの吸気口に接続され、前記密閉チャンバに連通された熱流管とを有する熱循環ユニットをさらに備えることを特徴とする（２）に記載の自動的に洗浄殺菌を行うことが可能な砂浴装置。
【０００９】
（４）  前記回流管系の各前記管路中にそれぞれ接続され、液体を弁制御し、前記下貯水槽から前記上浴槽中に注入するか、前記上浴槽の液体を前記下貯水槽中へ送ることを特徴とする（１）に記載の自動的に洗浄殺菌を行うことが可能な砂浴装置。
【００１０】
（５）  前記浮上除去ユニットの前記下貯水槽は、外部から液体を注水する進水孔、出水孔および回流孔を有し、前記回流管系の前記一方の１組の管路は、前記噴水孔と前記出水孔の間にそれぞれ接続され、前記上浴槽へ前記下貯水槽の液体を注入し、前記回流管系の前記他方の１組の管路が前記上浴槽の前記排水孔と前記下貯水槽の前記回流孔との間に接続され、前記上浴槽の液体は、前記下貯水槽中へ送られることを特徴とする（１）に記載の自動的に洗浄殺菌を行うことが可能な砂浴装置。
【００１１】
（６）  前記浮上除去ユニットの前記下貯水槽は、槽底に設けられた排出孔をさらに備えることを特徴とする（１）に記載の自動的に洗浄殺菌を行うことが可能な砂浴装置。
【考案の効果】
【００１２】
本考案の自動的に洗浄殺菌を行うことが可能な砂浴装置は、砂浴カバー材料の表面に付着した垢、汗などを除去することができる上、加熱することにより砂浴カバー材料の乾燥殺菌を行うとともに、砂浴カバー材料を加熱させることができる。
【考案を実施するための最良の形態】
【００１３】
以下、本考案の実施形態を図面に基づいて説明する。なお、これにより本考案が限定されるものではない。
【００１４】
図１および図２を参照する。図１および図２に示すように、本考案の一実施形態による自動的に洗浄殺菌を行うことが可能な砂浴装置は、４つの密閉チャンバ１００、４つの砂浴ユニット２００、４つの浮上除去ユニット３００、加熱ユニット４００、熱循環ユニット５００および複数の制御弁６００を備える。
【００１５】
図１、図３、図４および図５を参照する。図１、図３、図４および図５に示すように、砂浴ユニット２００の各々は、密閉チャンバ１００中に配置される。砂浴ユニット２００は、複数の顆粒状の砂浴カバー材料２１０を収納することが可能な上浴槽２２０を備える。本実施形態において、砂浴カバー材料２１０は、遠赤外線を放射するセラミック材料からなり、砂浴カバー材料から放射される遠赤外線は、身体を温めて血液循環および新陳代謝を増進させる。上浴槽２２０は、開放口２２１を有する浴槽２２２と、頭部を乗せるために用いる枕部２２３と、浴槽２２２と連通した８つの噴水孔２２４と、６つの熱風孔２２５と、７つのオーバーフロー孔２２６と、２つの排水孔２２７と、を備える。上浴槽２２０の排水孔２２７は、そのうちの１つが浴槽の底部に設けられ、他の１つが上浴槽２２０の短辺側の浴槽の底部近くに設けられている。６つのオーバーフロー孔２２６は、上浴槽２２０の２つの長辺側に所定の間隔で設けられ、他の１つのオーバーフロー孔２２６が上浴槽２２０の短辺側に配置され、各オーバーフロー孔２２６は、開放口２２１の近い側にそれぞれ配置されている。
【００１６】
図１、図２および図３を参照する。図１、図２および図３に示すように、浮上除去ユニット３００は、上浴槽２２０の下方に配置され、流体を蓄積する下貯水槽３１０および回流管系３２０を備える。下貯水槽３１０は、外部から液体を注水する進水孔３１１、出水孔３１２、回流孔３１３および排出孔３１４を備える。回流管系３２０の１組の管路３２１の各々は、噴水孔２２４と出水孔３１２の間に接続され、下貯水槽３１０の液体が上浴槽２２０に注入される。回流管系３２０の他の１組の管路３２２は、上浴槽２２０の排水孔２２７と、下貯水槽３１０の回流孔３１３との間に接続され、浮上除去した後に下貯水槽３１０に液体を送って貯蔵する。
【００１７】
加熱ユニット４００は、熱風炉４１０と、熱風炉４１０の排風口に接続された熱風管４２０とを含む。熱風管４２０は、主風ダクト４２１および複数の分岐ダクト４２２を含む。各分岐ダクト４２２は、密閉チャンバ１００に入れられて砂浴ユニット２００の上浴槽２２０の熱風孔２２５と接続され、ヒートポンプを行って上浴槽２２０中の砂浴カバー材料２１０を乾燥させる。この洗浄工程では、液体を注入した後、汚物を浮上除去してから砂浴カバー材料２１０を熱風により急速に乾燥させることにより、後で使用する他のユーザが衛生的に砂浴を行うことができるようにする。また、加熱ユニット４００は、熱風管４２０の分岐ダクト４２２にそれぞれ接続され、熱風中の不純物や粉塵を濾過し、上浴槽２２０に清潔な熱風を送り込むことが可能な複数の濾過器４２３（ｆｉｌｔｅｒ）をさらに備える。
【００１８】
熱循環ユニット５００は、ヒートポンプ５１０と、ヒートポンプ５１０の吸気口に接続された複数の熱流管５２０とを含む。各熱流管５２０は、密閉チャンバ１００に連通されている。熱流管５２０は、主流路５２１および複数の分岐流路５２２を有する。各分岐流路５２２は、密閉チャンバ１００に接続され、密閉チャンバ１００の排気孔１１０と連通し、密閉チャンバ１００中で発生した熱風を回流再利用し、排気汚染を低減させる。また、各密閉チャンバ１００は、排気ファン（図示せず）により、それぞれポンプ管（ｐｕｍｐ  ｐｉｐｅ）１２０からチャンバ中の湿気を排出させることができる。
【００１９】
各制御弁６００は、回流管系３２０の各管路３２１，３２２に接続されて液体を弁制御し、下貯水槽３１０から上浴槽２２０中へ液体を注入したり、上浴槽２２０の液体を下貯水槽３１０中へ送ったりすることができる。
【００２０】
図３、図４および図６に示すように、まず、洗浄工程では、オペレータが自動電気制御システム（図示せず）により制御することにより、下貯水槽３１０中の液体を管路３２１から上浴槽２２０へ送水し、各噴水孔２２４上のノズル（ｎｏｚｚｌｅ）により砂浴カバー材料２１０を直接洗い、砂浴カバー材料２１０の表面に付着した垢や汚物などを洗い流して顆粒状のカバー材料を攪拌する。この時、噴水孔２２４から排出される気泡により、水中にある様々な不純物、フロック、汚物などを液面に浮上させ、水位８００がオーバーフロー孔２２６に達すると、水位８００の表面に浮かんでいる汚物が各オーバーフロー孔２２６から流れ出し、図２の管路３２３を介して集められて排出される。周期的にこのように洗い流すことにより、汚れを迅速に除去する効果を得ることができる。液体洗浄工程を行った後に、加熱ユニット４００を作動させ、砂浴ユニット２００およびその中にある砂浴カバー材料２１０に対し熱乾燥および殺菌を行い、各熱風孔２２５から浴槽２２２へ熱風を大量に送り込み、これら砂浴カバー材料２１０の表面を急速に乾燥させる。このように砂浴カバー材料２１０の乾燥殺菌および加熱を同時に行い、後で利用する他のユーザが衛生的に砂浴を行うことができるようにする。
【００２１】
ここで、本考案で使用される砂浴カバー材料は、セラミック材料だけに限定されるわけではなく、上述の効果を得ることができる限り、石英砂石、マイナスイオン材料、海砂、竹炭顆粒などを利用してもよい。
【００２２】
以上をまとめると、従来の砂浴の砂材は、洗浄が困難であったため、細菌が増殖してしまう虞があった。本考案の自動的に洗浄殺菌を行うことが可能な砂浴装置は、まず、浮上除去ユニット３００により液体を注入し、砂浴カバー材料２１０に対する初歩的な水洗浄および浮上除去を行い、砂浴カバー材料２１０の表面に付着した汚物を除去する。続いて、加熱ユニット４００を用いて熱風で迅速に乾燥殺菌を行い、上浴槽２２０および砂浴カバー材料２１０全体が衛生的に使用できるようにする。また、熱循環ユニット５００により密閉チャンバ１００にある熱風を回流させて回収再利用することにより、排気汚染およびエネルギー損耗を低減させることができる。以上より、本考案の砂浴装置は、自動的に洗浄および殺菌を同時に行うことができる上、機器を自動的に操作することにより、洗浄を簡便かつ迅速に行い衛生を保つことができる。
【００２３】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２４】
【図１】本考案の一実施形態による自動的に洗浄殺菌を行うことが可能な砂浴装置を示す模式図である。
【図２】本考案の一実施形態による砂浴ユニットと浮上除去ユニットの間の管系の流れを示す模式図である。
【図３】本考案の一実施形態による砂浴ユニットと浮上除去ユニットとを組み合わせる時の状態を示す斜視図である。
【図４】本考案の一実施形態による砂浴ユニットと浮上除去ユニットとを組み合わせた時の状態を示す平面図である。
【図５】本考案の一実施形態による砂浴ユニットと浮上除去ユニットとを組み合わせた時の状態を示す断面図である。
【図６】本考案の一実施形態による浮上除去処理を行う時の状態を示す断面図である。
【符号の説明】
【００２５】
１００…密閉チャンバ、  １１０…排気孔、  １２０…ポンプ管、  ２００…砂浴ユニット、  ２１０…砂浴カバー材料、  ２２０…上浴槽、  ２２１…開放口、  ２２２…浴槽、  ２２３…枕部、  ２２４…噴水孔、  ２２５…熱風孔、  ２２６…オーバーフロー孔、  ２２７…排水孔、  ３００…浮上除去ユニット、  ３１０…下貯水槽、  ３１１…進水孔、  ３１２…出水孔、  ３１３…回流孔、  ３１４…排出孔、  ３２０…回流管系、  ３２１…管路、  ３２２…管路、  ３２３…管路、  ４００…加熱ユニット、  ４１０…熱風炉、  ４２０…熱風管、  ４２１…主風ダクト、  ４２２…分岐ダクト、  ４２３…濾過器、  ５００…熱循環ユニット、  ５１０…ヒートポンプ、  ５２０…熱流管、  ５２１…主流路、  ５２２…分岐流路、  ６００…制御弁、  ８００…水位。
【図１】
0003140820.tif 000003
【図２】
0003140820.tif 000004
【図３】
0003140820.tif 000005
【図４】
0003140820.tif 000006
【図５】
0003140820.tif 000007
【図６】
0003140820.tif 000008